(57)【要約】【課題】  従来の遮光体付きランプでは遮光膜や遮光部材から反射した熱がバーナー部内に蓄積され、バーナー部にガス漏れ等が発生し易くなる欠点があった。【解決手段】  本発明の遮光体付きランプにおいては、発光部を有するアウター管の外周に遮光部材を、空隙を介して配置し、上記アウター管に固定した口金部に上記遮光部材を固定する。上記遮光部材を上記口金部から軸方向に所定距離離間する。上記口金部に固定したホルダーと、このホルダーに設けた上記遮光部材を保持するアームを用いる。上記遮光部材が上記口金部に取り付けられる耳を有し、上記口金部が遮光部付きアウター管用と遮光部材なしアウター管用の灯具に夫々係合可能な係合部を有し上記遮光部材を有するアウター管を口金部に取り付けたとき、上記遮光部材の耳が上記遮光部材なしのアウター管用の灯具に係合する係合部を塞ぐようにする。【選択図】  図１
2005138815.tif 000002
【特許請求の範囲】
【請求項１】
発光部を有するアウター管と、このアウター管の外周に空隙を介して配置した遮光部材と、上記アウター管に固定した口金部とより成ることを特徴とする遮光体付きランプ。
【請求項２】
上記遮光部材が上記口金部に着脱自在であることを特徴とする請求項１記載の遮光体付きランプ。
【請求項３】
上記遮光部材が上記口金部に固定されていることを特徴とする請求項１記載の遮光体付きランプ。
【請求項４】
上記遮光部材が上記口金部から軸方向に所定距離離間されていることを特徴とする請求項１、２または３記載の遮光体付きランプ。
【請求項５】
上記口金部に固定したホルダーと、このホルダーに設けた上記遮光部材を保持するアームが更に形成されていることを特徴とする請求項１、２、３または４記載の遮光体付きランプ。
【請求項６】
上記遮光部材の基部を上記口金部に突き当てていることを特徴とする請求項１、２、３、４または５記載の遮光体付きランプ。
【請求項７】
上記基部の近傍において上記遮光部材にスリットが形成されていることを特徴とする請求項１、２、３、４、５または６記載の遮光体付きランプ。
【請求項８】
発光部を有するアウター管と、このアウター管の外周に空隙を介して配置した遮光部材と、上記アウター管に固定した口金部とより成り、上記遮光部材がその下部に固定用の耳を有し、この耳を上記口金部に固定する、固定手段を有することを特徴とする遮光体付きランプ。
【請求項９】
発光部を有するアウター管と、このアウター管の外周に空隙を介して配置した遮光部材と、上記アウター管に固定した口金部とより成り、上記遮光部材がその下部に固定用の耳を有し、上記耳は孔もしくは切欠を有し、上記口金部の少なくとも上端部が溶融可能な樹脂であり、上記耳の孔もしくは切欠に上記口金部から延びる棒状部が挿通されており、この棒状部の拡大頭部と上記口金部間に上記耳が挟持固定されていることを特徴とする遮光体付きランプ。
【請求項１０】
発光部を有するアウター管と、このアウター管に固定した口金部と上記口金部に着脱自在である遮光部材とより成り、上記口金部が遮光部材付きアウター管用と遮光部材なしアウター管用の灯具に夫々係合可能な係合部の切欠を有すると共に遮光部材なしアウター管用の灯具に係合可能な係合部の切欠を塞ぐ塞ぎ手段を有することを特徴とする遮光体付きランプ。
【請求項１１】
上記遮光部材なしアウター管用の灯具に係合可能な係合部の切欠を塞ぐ塞ぎ手段が、上記遮光部材の下部に形成された耳により構成されることを特徴とする請求項１０記載の遮光体付きランプ。
【請求項１２】
上記遮光部材が開角115°以下の開口を有する筒状体であることを特徴とする請求項１、２、３、４、５、６、７、８、９、１０または１１記載の遮光体付きランプ。
【請求項１３】
上記空隙が0.5ｍｍ以上1.5ｍｍ以下であることを特徴とする請求項１、２、３、４、５、６、７、８、９、１０、１１または１２記載の遮光体付きランプ。
【請求項１４】
上記遮光部材の内面に耐熱塗料が塗布されていることを特徴とする請求項１、２、３、４、５、６、７、８、９、１０、１１、１２または１３記載の遮光体付きランプ。
【請求項１５】
上記遮光部材の外面に放熱塗料が塗布されていることを特徴とする請求項１、２、３、４、５、６、７、８、９、１０、１１、１２、１３または１４記載の遮光体付きランプ。
【請求項１６】
上記遮光部材の表面に表面積拡大手段が設けられていることを特徴とする請求項１、２、３、４、５、６、７、８、９、１０、１１、１２、１３、１４または１５記載の遮光体付きランプ。
【発明の詳細な説明】
【技術分野】
【０００１】
本発明は遮光体付きランプ、特に、前照灯の光源として用いる遮光体付きランプに関するものである。
【背景技術】
【０００２】
前照灯の光源として用いるランプではグレアを防ぐための遮光膜を設けたランプが知られている（特許文献１）。また、遮光膜の代りに遮光板を用いたものも知られている（特許文献２）。
【特許文献１】特開平１１−２３２９０３号公報
【特許文献２】実用新案登録第３０９０７９６号公報
【発明の開示】
【発明が解決しようとする課題】
【０００３】
然しながら、図１７及び図１８に示すようにアウターガラス管１に遮光膜２を設けたものでは（特許文献１）アウターガラス管１と遮光膜２間に境界線ができ、ここで光の反射が生じ、熱がアウターガラス管１を介してバーナー部３内に蓄積してしまい、バーナー部３が過酷な状態となり、ガス漏れ（スローリーク）等が発生し易くなる欠点があった。
【０００４】
また、遮光膜をランプと別体としたもの（特許文献２）でも両者は互いに密着しており同様な欠点を有している。なお、図１７及び図１８において４は発光部、５は口金部、６は電極リード線である。
【０００５】
本発明は上記の欠点を除くようにしたものである。
【課題を解決するための手段】
【０００６】
本発明の遮光体付きランプは、発光部を有するアウター管と、このアウター管の外周に空隙を介して配置した遮光部材と、上記アウター管に固定した口金部とより成る。上記口金部には上記遮光部材が着脱自在とされ、または固定される。
【０００７】
上記遮光部材は、開角115°以下の開口を有する筒状体であることを特徴とする。
【０００８】
また、上記空隙は、0.5ｍｍ以上1.5ｍｍ以下であることを特徴とする。
【０００９】
また、上記遮光部材の内面に耐熱塗料が塗布され、上記遮光部材の外面に放熱塗料が塗布されていることを特徴とする。
【００１０】
また、上記遮光部材の表面に表面積拡大手段が設けられていることを特徴とする。
【００１１】
また、上記遮光部材は、上記口金部から軸方向に所定距離離間されていることを特徴とする。
【００１２】
また、本発明の遮光体付きランプは、上記口金部に固定したホルダーと、このホルダーに設けた上記遮光部材を保持するアームが更に形成されていることを特徴とする。
【００１３】
また、上記遮光部材の基部は、上記口金部に突き当てていることを特徴とする。
【００１４】
また、上記基部の近傍においては、上記遮光部材にスリットが形成されていることを特徴とする。
【００１５】
また、本発明の遮光体付きランプは、発光部を有するアウター管と、このアウター管の外周に空隙を介して配置した遮光部材と、上記アウター管に固定した口金部とより成り、上記遮光部材がその下部に固定用の孔あきの耳を有し、この耳が上記口金部にねじによって着脱自在に固定されていることを特徴とする。
【００１６】
上記耳の孔径がねじの外径よりも大きい内径であることを特徴とする。
【００１７】
また、本発明の遮光体付きランプは、発光部を有するアウター管と、このアウター管の外周に空隙を介して配置した遮光部材と、上記アウター管に固定した口金部とより成り、上記遮光部材がその下部に固定用の耳を有し、上記耳は孔もしくは切欠を有し、上記口金部の少なくとも上端部が溶融可能な樹脂であり、上記耳の孔もしくは切欠に上記口金部から延びる棒状部が挿通されており、この棒状部の拡大頭部と上記口金部間に上記耳が挟持固定されていることを特徴とする。
【００１８】
また、本発明の遮光体付きランプは、発光部を有するアウター管と、このアウター管に固定した口金部と上記口金部に着脱自在である遮光部材とより成り、上記口金部が遮光部材付きアウター管用と遮光部材なしアウター管用の灯具に夫々係合可能な係合部の切欠を有すると共に遮光部材なしアウター管用の灯具に係合可能な係合部の切欠を塞ぐ塞ぎ手段を有することを特徴とする。
【００１９】
上記遮光部材なしアウター管用の灯具に係合可能な係合部の切欠を塞ぐ塞ぎ手段が、上記遮光部材の下部に形成された耳により構成されることを特徴とする。
【発明の効果】
【００２０】
本発明の遮光体付きランプによれば、遮光部材を有していてもバーナー部内に熱が蓄積されることがなく、より明るい、高い色温度のランプを得ることができるようになる。
【発明を実施するための最良の形態】
【００２１】
以下図面によって本発明の実施例を説明する。
【実施例１】
【００２２】
本発明においては図１及び図２に示すようにアウターガラス管１の外周に空隙を介して例えば外径12mm以下の筒状の遮光部材７をアウターガラス管１と同心状に配置せしめる。この遮光部材７の厚さは例えば0.5mmとし、その一側面には開角115°以下の開口８を形成せしめる。なお、上記空隙はカットラインのボケ防止のため1.5mm以下であることが好ましく、また、熱放散のためには0.5mm以上であることが好ましい。また、上記開角115°以下の遮光部材７を有するランプをリフレクターにセットした場合には対向車を幻惑させることのない適切な配光とすることができる。
【００２３】
また、筒状のホルダー９を口金部５に嵌め込み、接着、溶着等により固定し、このホルダー９の外周の２個所または３個所に軸方向に延びる短柵状のアーム１０の基部を取り付け、このアーム１０の遊端１１によって上記遮光部材７を挟持せしめ、遮光部材７を上記口金部５の端面から軸方向に所定距離離間せしめると共に、ランプの発光部４もしくは口金部５の基準位置に対して縦方向及び横方向に自在に調節して位置決めした後これをアーム１０の遊端１１に溶着等により固定する。このような位置決めによれば熱の対流が促進され、放熱効果が高まるようになる。
【００２４】
なお、上記遮光部材７と口金部５に夫々係合凸部と係合凹部の何れか一方及び他方を形成しておき、両者を圧入することによって互いに係合し、引張することによって互いに離脱せしめることができるようにしても良く、また、口金部５に形成した挿入部に遮光部材７を挿入した後回転することによって両者を互いに結合せしめても良い。
【００２５】
上記遮光部材７は比熱の高い金属により形成するのが好ましく、また、その内面には耐熱塗料を塗布し、外面には放熱塗料を塗布するのが好ましい。
【００２６】
更に、遮光部材７の表面には図３及び図４に示すようにフィン１２を設けるか図５に示すように凹凸１３を設け表面積を拡大せしめるのが好ましい。
【実施例２】
【００２７】
上記遮光部材７の基部１４を図６に示すようにホルダー９に突き当て、ホルダー９のアーム１０に対し位置決めする前に上記遮光部材７を仮位置決めできるようにする。また、好ましくは上記基部１４の近傍に放熱効果向上のためスリット１５を形成せしめる。
【００２８】
この実施例によればアーム１０を省略することができると共に、スリット１５により熱の対流が促進されるようになる。なお、上記ホルダー９を用いず、上記遮光部材７を直接口金部５に固定しても良い。
【００２９】
なお、上記遮光部材７を口金部５に対し固定せず、着脱自在としても良く、この場合には遮光部材７を有しないランプと同じ商品パッケージで販売でき、流通上及び生産上のメリットが得られる。
【００３０】
上記のように本発明の遮光体付きランプによれば、遮光部材７の内面とアウターガラス管１の外面間に0.5mm〜1.5ｍｍの隙間が形成されているため熱がバーナー部３内に蓄積されることがない。
【実施例３】
【００３１】
本発明の実施例３においては、図７に示すように上記遮光部材７の下部に固定用の孔あきの耳１６を形成し、この耳１６を上記口金部５にねじ１７によりねじ止めする。
【００３２】
また、図８Ｂに示すように上記耳１６の孔径をねじの外径よりも0.5mm〜2mm程度大きい内径とすれば口金部５に対する遮光部材７の軸線に対する直交方向の位置を調整でき各部品の寸法や位置のバラツキに対応することが出来る。図８Ｃに示すように上記孔はＵ字状の切り欠き１８等でも良い。
【００３３】
また、図８Ｄ及び図９に示すように耳１６と口金部５間にスペーサ１９やスプリング２０を介挿せしめれば遮光体の軸線方向の位置と傾きを調整できる。
【００３４】
また、図１０及び図１１に示すようにねじ１７を用いず、上記口金部５の少なくとも上端部を溶融可能な樹脂とし、上記耳１６の孔に上記口金部５から一体に延びる棒状部２１を挿通したのち、棒状部２１の頭部を溶融圧潰しても良く、また、図１２Ａに示すように棒状部２１と口金部５の間に、上記耳１６の孔の内径よりも大きい外径の中間棒状部２３を設ける。上記中間棒状部２３の長さは、上記耳１６の固定時の設計寸法よりも長めに設定しておき、上記耳１６の孔を棒状部２１に挿通したのち、棒状部２１の頭部を圧潰部材２９によって溶融圧潰する際同時に上記中間棒状部２３を図１２Ｂに示すようにそれぞれ所定の寸法に溶融圧潰する事により、遮光体の軸線方向の位置と傾きを調整できる。又、上記耳１６の孔径を上記棒状部２１の外径よりも0.5mm〜2mm程度大きい内径とする事により、口金部５に対する遮光部材７の軸線に対する直交方向の位置を調整する事ができ、各部品の寸法や位置のバラツキに対応可能となる。上記孔はＵ字状の切り欠き等でも良い。
【００３５】
なお、上記棒状部２１、及び中間棒状部２３に、軟鉄、アルミ合金等の塑性変形可能な材料を用い、常温圧潰により拡大頭部の形成及び、中間棒状部の寸法調節を行なっても良い。
【実施例４】
【００３６】
本発明の実施例４においては図１３に示すように上記口金部５の外周に遮光部材付きアウター管用と遮光部材なしアウター管用の灯具（図示せず）に夫々係合可能な係合部２４，２５を形成し、図１４に示すように上記遮光部材７を有するアウターガラス管１を口金部５に取り付けたとき、上記遮光部材７の耳が上記遮光部材なしのアウターガラス管１用の灯具に係合する係合部２５を塞ぐようにする。
【００３７】
このようにすればアウターガラス管１を取り付けた口金部５が誤ってこれに適合しない灯具に組み込まれることを未然に防ぐことができるようになる。
【００３８】
上記係合部２４，２５は例えば切り欠きや孔２６でも良く、図１５に示すようにこの切り欠きや孔２６を薄い板状体２７で塞いだものとし、必要に応じて板状体２６を破るようにしても良く、また板状体２７の代りに図１６に示すように密栓状の塞ぎ部材２８を用いても良い。
【図面の簡単な説明】
【００３９】
【図１】本発明の遮光体付きランプの正面図である。
【図２】図１に示す遮光体付きランプの右側面図である。
【図３】本発明の遮光体付きランプにおける遮光部材の正面図である。
【図４】図３に示す遮光部材の右側面図である。
【図５】本発明の遮光体付きランプの他の実施例における遮光部材の正面図である。
【図６】本発明の遮光体付きランプの他の実施例を示す正面図である。
【図７】本発明の更に他の実施例を示す正面図である。
【図８Ａ】図７に示す遮光体付きランプの平面図である。
【図８Ｂ】孔あき耳の変形例の説明図である。
【図８Ｃ】孔あき耳の更に他の変形例の説明図である。
【図８Ｄ】図７に示す遮光体付きランプの一部の拡大断面図である。
【図９】図８Ｄのスペーサの代りにスプリングを用いた例の拡大断面図である。
【図１０】図８の他の例の説明図である。
【図１１】図９の他の例の説明図である。
【図１２Ａ】図１０の他の例の説明図である。
【図１２Ｂ】図１０の他の例の説明図である。
【図１３】本発明の遮光体付きランプの更に他の実施例の平面図である。
【図１４】図１３の実施例の説明図である。
【図１５】図１３に示す係合部の一例の説明図である。
【図１６】図１３に示す係合部の他の例の説明図である。
【図１７】従来の遮光体付きランプの正面図である。
【図１８】図７に示す遮光体付きランプの説明図である。
【符号の説明】
【００４０】
１  アウターガラス管
２  遮光膜
３  バーナー部
４  発光部
５  口金部
６  電極リード線
７  遮光部材
８  開口
９  ホルダー
１０  アーム
１１  遊端
１２  フィン
１３  凹凸
１４  基部
１５  スリット
１６  耳
１７  ねじ
１８  孔
１９  スペーサ
２０  スプリング
２１  棒状部
２２  拡大頭部
２３  中間棒状部
２４  係合部
２５  係合部
２６  孔
２７  板状体
２８  塞ぎ部材
２９  圧潰部材
【図１】
2005138815.tif 000003
【図２】
2005138815.tif 000004
【図３】
2005138815.tif 000005
【図４】
2005138815.tif 000006
【図５】
2005138815.tif 000007
【図６】
2005138815.tif 000008
【図７】
2005138815.tif 000009
【図８Ａ】
2005138815.tif 000010
【図８Ｂ】
2005138815.tif 000011
【図８Ｃ】
2005138815.tif 000012
【図８Ｄ】
2005138815.tif 000013
【図９】
2005138815.tif 000014
【図１０】
2005138815.tif 000015
【図１１】
2005138815.tif 000016
【図１２Ａ】
2005138815.tif 000017
【図１２Ｂ】
2005138815.tif 000018
【図１３】
2005138815.tif 000019
【図１４】
2005138815.tif 000020
【図１５】
2005138815.tif 000021
【図１６】
2005138815.tif 000022
【図１７】
2005138815.tif 000023
【図１８】
2005138815.tif 000024